(57)【要約】【課題】表示パネルの位置決め精度が良好なパネル表示テレビジョンの提供を課題とする。【解決手段】  位置決め筒２３と位置決め長筒２４に対して左右の位置決め突起４１ｂ，４１ａに挿入することにより、保持部材４０に保持された液晶パネル３０を前面カバー２０の窓部２１に対して正確に位置決めすることができる。そして、位置決めが行われた上でネジ止め固定を行うため、正確な位置で確実に固定することができる。従って、液晶パネル３０のベゼル３１が窓部２１から前方に露出し、見栄えが悪くなることが防止できる。【選択図】図６
0003110997.tif 000002
【実用新案登録請求の範囲】
【請求項１】
前方に略板状の表示パネルを露出させるパネル表示テレビジョンにおいて、
中央の窓部から上記表示パネルを前方に露出させる略矩形枠状の前面カバーと、
上記表示パネルを前方に保持する保持部材と、
上記保持部材における上記表示パネルの少なくとも左右上隅位置からそれぞれ前方に向かって一対突設された略円柱状の位置決め突起と、
上記前面カバーから後方に向かって突設され、上記前面カバーの正規位置に上記保持部材をセットしたときに上記位置決め突起の一つが挿入される略円筒状の位置決め筒と、
上記前面カバーから後方に向かって突設され、上記前面カバーの正規位置に上記保持部材をセットしたときに上記位置決め突起の一つが挿入され上記表示パネルの長手方向に細長い略楕円筒状の位置決め長筒と、
上記前面カバーから後方に突設され、上記保持部材に形成された長穴状のネジ穴に対してネジ止め可能なネジ止めリブと、
上記前面カバーにおいて上記窓部の外側を囲む枠状に突設され、上記ネジ止めリブと上記位置決め筒と上記位置決め長筒とを接続する補強リブと、
上記保持部材における上記位置決め突起が突設された部位の周辺と、同位置決め突起の根元部分とを接続する略板状の補強翼とを具備することを特徴とするパネル表示テレビジョン。
【請求項２】
前方に略板状の表示パネルを露出させるパネル表示テレビジョンにおいて、
中央の窓部から上記表示パネルを前方に露出させる略矩形枠状の前面カバーと、
上記表示パネルを前方に保持する保持部材と、
上記保持部材における上記表示パネルの隅位置からそれぞれ前方に向かって突設された位置決め突起と、
上記前面カバーから後方に向かって突設され、上記前面カバーの正規位置に上記保持部材をセットしたときに上記位置決め突起が挿入される筒状の位置決め筒と、
上記前面カバーと上記保持部材とネジ止め可能なネジ止め機構とを具備することを特徴とするパネル表示テレビジョン。
【請求項３】
上記前面カバーから後方に向かって突設され、上記前面カバーの正規位置に上記保持部材をセットしたときに上記位置決め突起の一つが挿入される幅方向に細長い筒状の位置決め長筒を具備することを特徴とする請求項２に記載のパネル表示テレビジョン。
【請求項４】
上記前面カバーにおいて上記窓部の外側を囲む枠状に突設された補強リブを具備することを特徴とする請求項２または請求項３のいずれかに記載のパネル表示テレビジョン。
【請求項５】
上記前面カバーに設けられる上記ネジ止め機構と上記位置決め筒または上記位置決め長筒は上記補強リブによって接続されることを特徴とする請求項４に記載のパネル表示テレビジョン。
【請求項６】
上記保持部材における上記位置決め突起が突設された部位の周辺と、同位置決め突起の根元部分とを接続する略板状の補強翼と具備することを特徴とする請求項２から請求項５のいずれかに記載のパネル表示テレビジョン。
【請求項７】
上記位置決め突起は上記保持部材における少なくとも上記表示パネルの左右上隅位置から一対突設されることを特徴とする請求項２から請求項６のいずれかに記載のパネル表示テレビジョン。
【請求項８】
上記ネジ止め機構を構成するネジ穴は、上記表示パネルの長手方向に細長いことを特徴とする請求項２から請求項７のいずれかに記載のパネル表示テレビジョン。
【考案の詳細な説明】
【技術分野】
【０００１】
本考案は、前方に略板状の表示パネルを露出させるパネル表示テレビジョンに関する。
【背景技術】
【０００２】
従来、この種のパネル表示装置として、位置決め用穴と位置決め用リブを用いて液晶モジュールとケースとの位置決めを行うものが知られている（例えば、特許文献１、参照。）。
かかる構成によれば、位置決め用リブの先端が液晶パネルの側辺の中央部に設けられた位置決め用穴に当接しつつ押し上げることにより、下ケースに予めセットされた液晶モジュールの位置決めを行うことができる。そして、液晶モジュールの位置決めが行われた後に、上ケースとともに液晶モジュールをネジ止めすることにより、液晶モジュールを固定することができる。
【特許文献１】特開２００１−１０８９７３号公報
【考案の開示】
【考案が解決しようとする課題】
【０００３】
しかしながら、パネルテレビジョンのように液晶モジュールに対してチューナ等の多数の基板等が備えられると液晶モジュールが重くなり、位置決め用リブの当接によって液晶モジュールを押し上げることが難しいという問題があった。特に、液晶面の拡大化によって位置決め用リブが形成される上ケースの枠幅が狭くなり、無理に液晶モジュールを位置決め用リブの当接によって押し上げようとすると、上ケースが破損したり変形するという問題があった。
本考案は、上記課題にかんがみてなされたもので、表示パネルの位置決め精度が良好なパネル表示テレビジョンの提供を目的とする。
【課題を解決するための手段】
【０００４】
上記目的を達成するため、請求項２にかかる考案では、前方に略板状の表示パネルを露出させるパネル表示テレビジョンにおいて、
中央の窓部から上記表示パネルを前方に露出させる略矩形枠状の前面カバーと、上記表示パネルを前方に保持する保持部材と、上記保持部材における上記表示パネルの隅位置からそれぞれ前方に向かって突設された位置決め突起と、上記前面カバーから後方に向かって突設され、上記前面カバーの正規位置に上記保持部材をセットしたときに上記位置決め突起が挿入される筒状の位置決め筒と、上記前面カバーと上記保持部材とネジ止め可能なネジ止め機構とを具備する構成としてある。
【０００５】
上記のように構成した請求項２の考案において、略矩形枠状の前面カバーの中央に窓部が設けられ、同窓部から略板状の上記表示パネルが前方に露出する。また、上記表示パネルは、保持部材の前方に保持される。位置決め突起は、上記保持部材における上記表示パネルの隅位置からそれぞれ前方に向かって突設される。この位置決め突起が上記前面カバーの正規位置に上記保持部材をセットしたときに挿入可能な筒状の位置決め筒が、上記前面カバーから後方に向かって突設される。そして、上記前面カバーと上記保持部材は、ネジ止め機構によってネジ止めすることができる。かかる構成により、上記位置決め突起を上記位置決め筒に挿入することにより、上記前面カバーと上記保持部材を位置決めしつつ、上記ネジ止め機構によってネジ止めを行うことができる。また、上記位置決め筒を筒状に形成することにより、同位置決め筒を形成するための素材量を減少させることができる。従って、上記前面カバーにおける上記位置決め筒の周辺の成型仕上がりを良好に保つことができる。また、上記位置決め突起は、上記保持部材における上記表示パネルの隅位置に形成されるため、同保持部材を上記前面カバーにセットする際の視認性がよくなる。従って、上記位置決め突起による位置決めを容易に行うことができる。また、上記保持部材の隅から同保持部材を上記位置決め筒に接近させて上記前面カバーにセットすることができるため、作業性がよくなる。
【０００６】
さらに、請求項３にかかる考案は、上記前面カバーから後方に向かって突設され、上記前面カバーの正規位置に上記保持部材をセットしたときに上記位置決め突起の一つが挿入され上記表示パネルの長手方向に細長い筒状の位置決め長筒を具備する構成としてある。
上記のように構成した請求項３の考案において、上記前面カバーの正規位置に上記保持部材をセットしたときに上記位置決め突起の一つが挿入可能な位置決め長筒が上記前面カバーから後方に向かって突設される。上記位置決め長筒は上記表示パネルの長手方向に細長い筒状に形成されているため、上記位置決め突起と同位置決め長筒との、上記表示パネルの長手方向に対する相対位置がずれても、同位置決め突起を同位置決め長筒に挿入することができる。従って、上記前面カバーの幅方向の寸法誤差を許容することができる。
【０００７】
また、請求項４にかかる考案は、上記前面カバーにおいて上記窓部の外側を囲む枠状に突設された補強リブを具備する構成としてある。
上記のように構成した請求項４の考案において、上記窓部の外側を囲む枠状の補強リブが上記前面カバーに突設される。このようにすることにより、上記前面カバーの剛性を高め、位置決め精度を向上させることができる。
【０００８】
さらに、請求項５にかかる考案は、上記前面カバーに設けられる上記ネジ止め機構と上記位置決め筒または上記位置決め長筒は上記補強リブによって接続される構成としてある。
上記のように構成した請求項５の考案において、上記前面カバーに設けられる上記ネジ止め機構と上記位置決め筒または上記位置決め長筒を上記補強リブによって接続することにより、同ネジ止め機構と同位置決め筒または同位置決め長筒の相対位置を強固に維持することができる。従って、上記位置決め筒または上記位置決め長筒を利用して位置決めを行った後のネジ止め固定において、ずれが発生することが防止できる。むろん、上記位置決め筒または上記位置決め長筒自体の剛性も向上するため、上記位置決め筒または上記位置決め長筒を利用した位置決めの精度も向上させることができる。
【０００９】
また、請求項６にかかる考案は、上記保持部材における上記位置決め突起が突設された部位の周辺と、同位置決め突起の根元部分とを接続する略板状の補強翼と具備する構成としてある。
上記のように構成した請求項６の考案において、略板状の補強翼が上記保持部材における上記位置決め突起が突設された部位の周辺と同位置決め突起の根元部分とを接続することにより、同接続された部位の剛性を向上させることができる。従って、上記位置決め突起を利用した位置決めの精度を向上させることができる。
【００１０】
また、請求項７にかかる考案は、上記位置決め突起は上記保持部材における上記表示パネルの左右上隅位置から一対突設される構成としてある。
上記のように構成した請求項７の考案において、上記保持部材における上記表示パネルの少なくとも左右上隅位置から上記位置決め突起が一対突設される。かかる構成により、上記パネル表示テレビジョンを正立させたときに、上記保持部材および上記表示パネルを上記位置決め突起と上記位置決め筒または上記位置決め長筒とで上吊り状態で保持することができる。
【００１１】
さらに、請求項８にかかる考案は、上記ネジ止め機構を構成するネジ穴は、上記表示パネルの長手方向に細長い構成としてある。
上記のように構成した請求項８の考案において、上記ネジ止め機構にてネジ止めを行う際にも、上記前面カバーの幅方向の寸法誤差を許容することができる。
【００１２】
以上の構成を踏まえたうえで、請求項１の考案は、前方に略板状の表示パネルを露出させるパネル表示テレビジョンにおいて、
中央の窓部から上記表示パネルを前方に露出させる略矩形枠状の前面カバーと、上記表示パネルを前方に保持する保持部材と、上記保持部材における上記表示パネルの少なくとも左右上隅位置からそれぞれ前方に向かって一対突設された略円柱状の位置決め突起と、上記前面カバーから後方に向かって突設され、上記前面カバーの正規位置に上記保持部材をセットしたときに上記位置決め突起の一つが挿入される略円筒状の位置決め筒と、上記前面カバーから後方に向かって突設され、上記前面カバーの正規位置に上記保持部材をセットしたときに上記位置決め突起の一つが挿入され上記表示パネルの長手方向に細長い略楕円筒状の位置決め長筒と、上記前面カバーから後方に突設され、上記保持部材に形成された長穴状のネジ穴に対してネジ止め可能なネジ止めリブと、上記前面カバーにおいて上記窓部の外側を囲む枠状に突設され、上記ネジ止めリブと上記位置決め筒と上記位置決め長筒とを接続する補強リブと、上記保持部材における上記位置決め突起が突設された部位の周辺と、同位置決め突起の根元部分とを接続する略板状の補強翼とを具備する構成としてある。
このような、より具体的な構成において上述した請求項２〜請求項８の各考案と同様の作用を奏することは言うまでもない。
【考案の効果】
【００１３】
以上説明したように請求項１および請求項２の考案によれば、位置決め精度がよく、容易に組み付けを行うことが可能なパネル表示テレビジョンを提供することができる。
請求項３考案によれば、寸法誤差がある場合でも位置決めを行うことができる。
請求項４考案によれば、前面カバーの変形を防止することができる。
【００１４】
請求項５考案によれば、位置決め精度をより向上させることができる。
請求項６考案によれば、位置決め精度をより向上させることができる。
請求項７考案によれば、表示パネルを安定して保持することができる。
請求項８考案によれば、寸法誤差がある場合でもネジ止めを行うことができる。
【考案を実施するための最良の形態】
【００１５】
ここでは、下記の順序に従って本考案の実施形態について説明する。
（１）液晶テレビジョンの構成：
（２）組み付け手順：
（３）まとめ：
【００１６】
（１）液晶テレビジョンの構成：
以下、本考案の一実施形態にかかるパネル表示テレビジョンとしての液晶テレビジョンについて説明する。図１は、液晶テレビジョンを正面から見て示している。同図において、液晶テレビジョン１０は、キャビネット１１と表示パネルとしての液晶パネル３０と脚部７０とから構成されている。キャビネット１１の前方部分を構成する前面カバー２０の中央部に窓部２１が形成されており、同前面カバー２０は矩形枠状となっている。そして、窓部２１から前面カバー２０の背面側に配置された液晶パネル３０が前方に露出している。また、脚部７０は、キャビネット１１を支持しており、それにより液晶テレビジョン１０が正立し、液晶パネル３０の表示面が略鉛直に配向させられている。なお、以下の説明において特別に示さない限り、液晶テレビジョン１０の正立時における方向を基準として説明を行うものとする。
【００１７】
図２は、液晶テレビジョン１０を分解した様子を側方から見て示している。同図において、キャビネット１１の前方部分を構成する前面カバー２０と後方部分を構成する背面カバー６０とが前後に配置され、これらによって挟み込まれる位置に保持部材４０が配置されている。図３は、保持部材４０を正面から見て示している。保持部材４０は前面カバー２０よりも幅および高さが小さい矩形板状に形成されており、前面側の中央に液晶パネル３０が表示面を前方に露出するように嵌め込まれ、保持されている。また、矩形枠状の金属ベゼル３１が液晶パネル３０を上下左右から囲んでおり、同ベゼル３１を介して液晶パネル３０と保持部材４０が固定されている。
【００１８】
図２において、保持部材４０の後方に金属製の保護カバー３２が取り付けられている。保護カバー３２は、保持部材４０に取り付けられた液晶パネル３０の背面側を保護するとともに、同背面側に備えられるバックライト等の各種電装部材を内側に収容している。保護カバー３２の後方には映像出力基板３４が備えられている。映像出力基板３４の映像出力端子はフラットケーブル３５を介して液晶パネル３０と接続している。
【００１９】
保持部材４０の後方には、チューナ基板３７も備えられており、アンテナ入力やコンポジット入力等の入力端子３７ａを側方に配向させている。また、チューナ基板３７の紙面奥方には電源基板３６が備えられており、電源ケーブル３８から供給された電源を液晶テレビジョン１０の各部にて使用可能な電源に変換しつつ、同各部に出力している。以上のように、保持部材４０には予め各種部材３０，３２，３４，３５，３６が組み付けられているため、これらを一体的に取り扱うことができる。
【００２０】
図３に示すように、保持部材４０は液晶パネル３０よりも幅および高さが大きく形成されているため、保持部材４０における液晶パネル３０の左右上下には矩形枠状のスペースが形成される。そして、この矩形枠状のスペースにおける液晶パネル３０の右上隅部分および左上隅部分に左右一対の位置決め突起４１ａ，４１ｂが突設されている。また、同スペースの各辺にはネジ止め穴４２，４２，４２，４２が穿設されている。ネジ止め穴４２，４２，４２，４２は、それぞれ幅方向に細長い長穴状とされている。
【００２１】
図４は、左側の位置決め突起４１ａを斜めから見て示している。なお、右側の位置決め突起４１ｂも位置決め突起４１ａと同様の構成とされているため、説明は省略する。同図において、保持部材４０から略円柱状の位置決め突起４１ａが前方に向かって突設されている。位置決め突起４１ａの中央には、略円柱状の穴４１ａが形成されている。位置決め突起４１ａの根元部分から径方向外側に略板状の補強翼４１ａ２，４１ａ２，４１ａ２，４１ａ２が四方に突設されている。補強翼４１ａ２，４１ａ２，４１ａ２，４１ａ２は、位置決め突起４１ａの側面と保持部材４０とを接続している。
【００２２】
図５は、前面カバー２０を後方から見て示している。同図において、前面カバー２０は略矩形枠状に形成されており、中央を肉抜きすることにより矩形状の窓部２１が形成されている。窓部２１の幅および高さは液晶パネル３０を囲むベゼル３１の内側における幅方向と高さ方向の間隔よりもわずかに小さく形成されている。窓部２１の外側を囲むように略矩形枠状の補強リブ２７が前面カバー２０から後方に向かって突設されている。補強リブ２７の左右上隅部には、それぞれ位置決め長筒２４と位置決め筒２３とが後方に向かって突設されている。
【００２３】
補強リブ２７は位置決め長筒２４と位置決め筒２３と接続されており、同位置決め長筒２４と位置決め筒２３と接続した箇所にて直角に屈曲している。前面カバー２０の上下左右の辺からそれぞれ後方に向かって略円筒状のネジ止めリブ２５，２５，２５，２５，２５，２５，２５，２５が突設されている。そして、ネジ止めリブ２５，２５，２５，２５，２５，２５，２５，２５も位置決め長筒２４と位置決め筒２３と同様に補強リブ２７と接続している。補強リブ２７のさらに外側には、幅寄せリブ２６，２６，２６，２６，２６，２６が方向に向かって突設されている。
【００２４】
図６は、位置決め筒２３を斜めから見て示している。同図において、位置決め筒２３は円筒状に形成されており、前面カバー２０から略板状に突設された補強リブ２７と接続されている。そして、補強リブ２７は位置決め筒２３にて屈曲している。また、補強リブ２７はネジ止めリブ２５とも接続されている。図７は、位置決め長筒２４を斜めから見て示している。同図において、位置決め長筒２４は略楕円筒状に形成されており、補強リブ２７と接続されている。そして、補強リブ２７は位置決め長筒２４にて屈曲している。なお、液晶パネル３０は幅方向に長いため、位置決め長筒２４は液晶パネル３０の長手方向に細長いこととなる。
【００２５】
（２）組み付け手順：
次に、液晶テレビジョン１０の組み付け手順について説明する。まず、図６および図７にて破線で示すように、前面カバー２０の位置決め筒２３と位置決め長筒２４に対して左右の位置決め突起４１ｂ，４１ａを挿入する。位置決め突起４１ｂ，４１ａは、保持部材４０における隅部に突設されているため、位置決め筒２３と位置決め長筒２４に挿入される位置決め突起４１ｂ，４１ａを容易に視認することができる。従って、位置決め突起４１ｂ，４１ａを視認しつつ、スムーズに位置決め突起４１ｂ，４１ａを位置決め筒２３と位置決め長筒２４に挿入することができる。また、保持部材４０の角部から保持部材４０を接近させることができるため、位置決め突起４１ｂ，４１ａの位置調整を容易に行うことができる。
【００２６】
図６に示すように、位置決め突起４１ｂの外径は位置決め筒２３の内径よりもわずかに小さく形成されているため、位置決め突起４１ｂを位置決め筒２３に挿入することにより、位置決め突起４１ｂを前面カバー２０に対して位置決めすることができる。一方、図７に示すように、位置決め突起４１ａの外径は位置決め長筒２４の上下方向の短径よりもわずかに小さく形成されているため、位置決め突起４１ａを位置決め長筒２４に挿入することにより、位置決め突起４１ａを前面カバー２０に対して上下方向に位置決めすることができる。ただし、位置決め長筒２４の幅方向の長径は、位置決め突起４１ａの外径よりも大きく形成されている。従って、前面カバー２０または保持部材４０の寸法誤差を許容することができる。特に、位置決め長筒２４は幅方向に長く形成されているため、液晶パネル３０の長手方向に生じやすい誤差を効果的に許容することができる。
【００２７】
以上のようにして、位置決め筒２３と位置決め長筒２４に対して左右の位置決め突起４１ｂ，４１ａに挿入することにより、保持部材４０に保持された液晶パネル３０を前面カバー２０の窓部２１に対して正確に位置決めすることができる。さらに、位置決め突起４１ｂ，４１ａには補強翼４１ａ２，４１ａ２，４１ａ２，４１ａ２が設けられているため、位置決め突起４１ｂ，４１ａの剛性を高くすることができる。補強翼４１ａ２，４１ａ２，４１ａ２，４１ａ２は、四方に突設されているため、あらゆる方向に対しても剛性を確保することができる。
【００２８】
一方、位置決め筒２３と位置決め長筒２４も、補強リブ２７が接続することにより高い剛性を有している。特に、補強リブ２７の屈曲部にて位置決め筒２３と位置決め長筒２４と接合しているため、それぞれ２方向の補強リブ２７に対して接合することができる。従って、位置決め筒２３と位置決め長筒２４についても、あらゆる方向に対しても剛性を確保することができる。このように、位置決めに寄与する位置決め突起４１ｂ，４１ａと位置決め筒２３と位置決め長筒２４の剛性を高くすることにより、保持部材４０の前面カバー２０に対する位置決め精度をより向上させることができる。従って、液晶パネル３０のベゼル３１が窓部２１から前方に露出し、見栄えが悪くなることが防止できる。
【００２９】
以上のようにして、保持部材４０を前面カバー２０の正規位置に位置決めしつつ、保持部材４０を前面カバー２０にセットした後に、保持部材４０を前面カバー２０にネジ止め固定する。具体的には、図６および図７にて破線で示すようにネジ止めリブ２５に対してネジ５０を螺合させて、ネジ止め固定を行う。その際、保持部材４０の各辺に形成されたネジ止め穴４２をネジ５０にて貫通させることにより、保持部材４０を前面カバー２０に固定することができる。なお、ネジ５０の頭部５０ａは、ネジ止め穴４２よりも広径とされているため、ネジ５０によって保持部材４０を締め付けることができる。
【００３０】
ネジ止め穴４２は幅方向に細長く形成されているため、前面カバー２０または保持部材４０に幅方向の寸法誤差がある場合でも、ネジ止め穴４２をネジ５０にて貫通させることができる。特に、ネジ止め穴４２は幅方向に長く形成されているため、液晶パネル３０の長手方向に生じやすい誤差を効果的に許容することができる。
【００３１】
さらに、補強リブ２７によって位置決め筒２３と位置決め長筒２４と各ネジ止めリブ２５が接合されているため、位置決め筒２３と位置決め長筒２４と各ネジ止めリブ２５との間の剛性も高いものとなっている。従って、ネジ５０の締め付け時に荷重が作用しても、位置決め筒２３と位置決め長筒２４と各ネジ止めリブ２５との相対位置を保つことができる。従って、ネジ止めを行なうことにより位置決め筒２３と位置決め長筒２４と各ネジ止めリブ２５との間で変形がおき、予め行っておいた保持部材４０の前面カバー２０に対する位置決めの精度を低下させることはない。すなわち、ネジ止め後も保持部材４０の前面カバー２０に対する位置精度を維持することができる。また、補強リブ２７が窓部２１を囲んで形成されているため、窓部２１の変形により液晶パネル３０のベゼル３１が窓部２１から前方に露出し、見栄えが悪くなることが防止できる。
【００３２】
以上のようにして、保持部材４０の前面カバー２０に対する取付が完了すると、保持部材４０あるいは前面カバー２０に対して背面カバー６０を取り付ける。この時点で、保持部材４０は前面カバー２０に対して正確な位置で確実に固定されているため、背面カバー６０を取り付ける際に保持部材４０の前面カバー２０に対する位置精度が損なわれることはない。また、位置決め筒２３と位置決め長筒２４と位置決め突起４１ｂ，４１ａが保持部材４０の上部に形成されているため、液晶テレビジョン１０の正立時において保持部材４０を上吊り状態で保持することができる。従って、仮にネジ止め固定が不十分な場合でも、液晶テレビジョン１０の使用時に保持部材４０が脱落してしまうようなことはない。
【００３３】
（３）まとめ：
以上説明したように、位置決め筒２３と位置決め長筒２４に対して左右の位置決め突起４１ｂ，４１ａに挿入することにより、保持部材４０に保持された液晶パネル３０を前面カバー２０の窓部２１に対して正確に位置決めすることができる。そして、位置決めが行われた上でネジ止め固定を行うため、正確な位置で確実に固定することができる。従って、液晶パネル３０のベゼル３１が窓部２１から前方に露出し、見栄えが悪くなることが防止できる。
【図面の簡単な説明】
【００３４】
【図１】本考案の一実施形態にかかる液晶テレビジョンの正面図である。
【図２】液晶テレビジョンの分解側面図である。
【図３】保持部材の正面図である。
【図４】位置決め突起の斜視図である。
【図５】前面カバーの背面図である。
【図６】位置決め筒の斜視図である。
【図７】位置決め長筒の斜視図である。
【符号の説明】
【００３５】
１０…液晶テレビジョン
２０…前面カバー
２１…窓部
２３…位置決め筒
２４…位置決め長筒
２５…ネジ止めリブ
２６…幅寄せ突起
２７…補強リブ
３０…液晶パネル
３１…ベゼル
３２…保護カバー
３４…映像出力基板
３５…フラットケーブル
３６…電源基板
３７…チューナ基板
３８…電源ケーブル
４０…保持部材
４１ａ，４１ｂ…位置決め突起
４１ａ１…穴
４１ａ２…補強翼
４２…ネジ穴
５０…ネジ
６０…背面カバー
７０…脚部
【図１】
0003110997.tif 000003
【図２】
0003110997.tif 000004
【図３】
0003110997.tif 000005
【図４】
0003110997.tif 000006
【図５】
0003110997.tif 000007
【図６】
0003110997.tif 000008
【図７】
0003110997.tif 000009